(57)【要約】【課題】飲食店と利用者の要望を満たす仕組みを提供し、両者の満足度を向上させるシステムを提供する。【解決手段】注文された飲食物に関する飲食物情報の入力を受け付ける飲み物注文画面１６０と、入力された前記飲食物情報に基づいて当該飲食物の単価である飲食物単価を記憶部から取得する飲み物注文受付部、食べ物注文受付部、および文具注文受付部と、取得した前記飲食物単価を加算して合計料金を算出する利用申請部と、算出した合計料金を出力する利用申請部を有する決済システム１について、利用者が店内の領域を利用する又は利用した利用時間を取得する利用時間入力部と、予め設定された時間利用単価と前記利用時間に基づく時間利用料金を算出する利用申請部とを備え、前記利用申請部は、前記飲食物単価と前記時間利用料金を含む合計料金を算出する構成とした。【選択図】図５
2019074895.tif 000002
【特許請求の範囲】
【請求項１】
注文された飲食物に関する飲食物情報の入力を受け付ける飲食物情報入力部と、
入力された前記飲食物情報に基づいて当該飲食物の単価である飲食物単価を記憶部から取得する単価取得手段と、
取得した前記飲食物単価を加算して合計料金を算出する合計料金算出手段と、
算出した合計料金を出力する合計料金出力手段を有する決済システムであって、
利用者が店内の領域を利用する又は利用した利用時間を取得する利用時間取得手段と、
予め設定された時間利用単価と前記利用時間に基づく時間利用料金を算出する時間利用料金算出手段とを備え、
前記合計料金算出手段は、
前記飲食物単価と前記時間利用料金を含む合計料金を算出する構成である
決済システム。
【請求項２】
前記利用時間取得手段により前記利用時間を取得した場合に、所定の前記飲食物情報にかかる前記飲食物単価に対して所定の割引を行う時間利用時割引適用手段を備え、
前記合計料金算出手段は、
前記時間利用時割引き適用手段により適用される割引をした料金を前記合計料金として算出する構成である
請求項１記載の決済システム。
【請求項３】
前記利用時間の増加入力を受け付ける利用時間増加入力手段を備えた
請求項１または２記載の決済システム。
【請求項４】
前記領域は、一人用に割り当てられるテーブル上の領域又は／及び座席であり、
前記利用者が利用する又は利用した前記領域の領域数の入力を受け付ける領域数入力手段を備え、
前記時間利用料金算出手段は、前記時間利用単価と前記利用時間と前記領域数に基づいて前記時間利用料金を算出する構成である
請求項１、２または３記載の決済システム。
【請求項５】
利用者を識別する利用者識別情報を取得する利用者識別情報取得手段と、
前記利用者が利用した前記合計料金を前記利用者識別情報と関連づけて記憶する利用履歴記憶手段と、
前記利用者識別情報と当該利用者が所属する組織を識別する組織識別情報とが含まれる組織管理情報を記憶する組織管理情報記憶手段と、
前記組織に所属する複数の前記利用者について、当該利用者が利用した前記合計料金を合計して組織内合計利用料金を算出する組織内合計利用料金算出手段と、
前記組織内合計利用料金を出力する組織内合計利用料金出力手段とを備えた
請求項１から４のいずれか１つに記載の決済システム。
【請求項６】
前記組織管理情報記憶手段は、前記組織がサービス提供可能状態か否かを示すサービス提供可否情報も記憶する構成であり、
前記利用者識別情報取得手段により取得した利用者識別情報の所属する組織がサービス提供不可状態であればエラー出力をする利用可否認証手段を備えた
請求項５記載の決済システム。
【請求項７】
コンピュータを、
注文された飲食物に関する飲食物情報の入力を受け付ける飲食物情報入力部と、
入力された前記飲食物情報に基づいて当該飲食物の単価である飲食物単価を記憶部から取得する単価取得手段と、
取得した前記飲食物単価を加算して合計料金を算出する合計料金算出手段と、
算出した合計料金を出力する合計料金出力手段を有する決済システムとして機能させる決済プログラムであって、
前記コンピュータを、
利用者が店内の領域を利用する又は利用した利用時間を取得する利用時間取得手段と、
予め設定された時間利用単価と前記利用時間に基づく時間利用料金を算出する時間利用料金算出手段として機能させ、
前記合計料金算出手段は、
前記飲食物単価と前記時間利用料金を含む合計料金を算出する構成である
決済プログラム。
【請求項８】
注文された飲食物に関する飲食物情報の入力を受け付ける飲食物情報入力部と、
入力された前記飲食物情報に基づいて当該飲食物の単価である飲食物単価を記憶部から取得する単価取得手段と、
取得した前記飲食物単価を加算して合計料金を算出する合計料金算出手段と、
算出した合計料金を出力する合計料金出力手段を有する決済システムにより決済する決済方法であって、
利用者が店内の領域を利用する又は利用した利用時間を利用時間取得手段により取得し、
予め設定された時間利用単価と前記利用時間に基づく時間利用料金を時間利用料金算出手段により算出する構成であり、
前記合計料金算出手段により、
前記飲食物単価と前記時間利用料金を含む合計料金を算出する
決済方法。
【発明の詳細な説明】
【技術分野】
【０００１】
この発明は、例えば飲食店等の店舗にて領域を時間で提供するような決済システム、決済プログラム、および決済方法に関する。
【背景技術】
【０００２】
従来、様々な店舗で商品やサービスの提供が行われている。例えば、飲食店では、適宜の飲食物の注文を受け付け、料金を計算して決済することが行われている。このような決済に関するシステムとして、発注オーダ・料金情報管理システムが提案されている（特許文献１参照）。このシステムは、オーダ情報がタッチパネル５に表示されると同時にＩＣカード９の記憶装置１０で記憶され、その情報は無線で厨房システム１１に送られ調理指示が出されて、飲食が終了すると、顧客がＩＣカード９をレジに持参し、レジではＩＣカードリーダ１９で飲食料金情報を読み取り精算処理を行うものである。これにより、現金を始めとする一切の清算処理の迅速化を図るとされている。
【０００３】
ところで、喫茶店やファミリーレストラン等の飲食店では、飲食を楽しむだけでなく、ノートパソコンやタブレット端末での作業、読書、学習などをする利用者が存在している。このような利用者は、飲食物を注文するものの、飲食が終わってもノートパソコンやタブレット端末での作業、読書、学習などを続けることがある。
【０００４】
このような場合に長時間居座られると、飲食店経営者は、他の利用者を受け入れできずに迷惑であると感じものの、退店を促すとＳＮＳやインターネットブログ等で悪評が拡散されるのではないかと心配し、何も言えなかった。
【０００５】
一方で、このような利用者は、飲食が終わっても利用を続けたいと考えた場合に、飲食店に気を使って追加の注文をする以外に料金を支払うすべがなかった。このため、必要のない飲食物を注文するか、あるいは注文せずに利用し続けるかという選択肢しかなかった。特に、営業で外回りをするサラリーマンは、１日に複数の営業先でもコーヒーやお茶を戴き、さらに時間調整やノートパソコン等での作業のために喫茶店やファミリーレストランで必要のない飲食物を注文するという無駄な行為をするほか無かった。
【先行技術文献】
【特許文献】
【０００６】
【特許文献１】特開２０００−０１１０４２号公報
【発明の概要】
【発明が解決しようとする課題】
【０００７】
この発明は、上述の問題点に鑑みて、飲食店と利用者の要望を満たす仕組みを提供し、両者の満足度を向上させることを目的とする。
【課題を解決するための手段】
【０００８】
この発明は、注文された飲食物に関する飲食物情報の入力を受け付ける飲食物情報入力部と、入力された前記飲食物情報に基づいて当該飲食物の単価である飲食物単価を記憶部から取得する単価取得手段と、取得した前記飲食物単価を加算して合計料金を算出する合計料金算出手段と、算出した合計料金を出力する合計料金出力手段を有する決済システムであって、利用者が店内の領域を利用する又は利用した利用時間を取得する利用時間取得手段と、予め設定された時間利用単価と前記利用時間に基づく時間利用料金を算出する時間利用料金算出手段とを備え、前記合計料金算出手段は、前記飲食物単価と前記時間利用料金を含む合計料金を算出する構成である決済システム、これに用いる決済プログラム、およびこの決済システムを用いた決済方法であることを特徴とする。
【発明の効果】
【０００９】
この発明により、飲食店と利用者の要望を満たす仕組みを提供し、両者の満足度を向上させることができる。
【図面の簡単な説明】
【００１０】
【図１】決済システムのシステム構成を示すブロック図。
【図２】管理サーバの管理データベースに記憶されているデータのデータ構成図。
【図３】管理サーバの管理データベースに記憶されているデータのデータ構成図。
【図４】決済システムの各ハードウェアの機能を示す機能ブロック図。
【図５】ユーザ端末の表示部に表示する画面の説明図。
【図６】ユーザ端末の表示部に表示する画面の説明図。
【発明を実施するための形態】
【００１１】
以下、本願発明の一実施形態を説明する。
【実施例】
【００１２】
＜システム構成＞
図１は、決済システム１のシステム構成を示すブロック図である。  
決済システム１は、例えば、喫茶店やファミリーレストラン等の飲食物を提供する飲食店にて領域の時間利用を提供する飲食店時間利用決済システムである。
【００１３】
決済システム１は、飲食店本部等に設置される提供企業サーバ２、飲食店の店舗に設置される提供企業店舗端末３、管理会社等に設置される管理サーバ４、管理会社等に設置されるＷＥＢサーバ５、利用企業に所属する利用者（社員など）が携帯するユーザ端末６、及び利用企業本社等に設置される利用企業サーバ７を有しており、これらがインターネット９に接続されている。
【００１４】
提供企業サーバ２、管理サーバ４、ＷＥＢサーバ５、および利用企業サーバ７は、それぞれサーバコンピュータで構成されており、それぞれハードウェア要素として、ＣＰＵとＲＯＭとＲＡＭ等で構成されて各種演算や制御動作を実行する制御部２ａ，４ａ，５ａ，７ａ、ハードディスクやフラッシュメモリ等で構成されて情報の読み取り／書き込みを許容する記憶部２ｂ，４ｂ，５ｂ，７ｂ、タッチパネル、キーボード、マウス、押下ボタン、またはこれらの複数で構成されて接触操作による入力を受け付ける入力部２ｉ，４ｉ，５ｉ，７ｉ、液晶ディスプレイや有機ＥＬディスプレイ等で構成されて文字や図等の画像を表示する表示部２ｊ，４ｊ，５ｊ，７ｊ、及びＬＡＮボードやＷｉＦｉユニット等で構成されて有線または無線での通信を実行する通信部２ｋ，４ｋ，５ｋ，７ｋを備えている。
【００１５】
提供企業店舗端末３は、ＰＯＳレジ機能と通信機能を有する一般的なコンピュータで構成されており、ハードウェア要素として、ＣＰＵとＲＯＭとＲＡＭ等で構成されて各種演算や制御動作を実行する制御部３ａ、ハードディスクやフラッシュメモリ等で構成されて情報の読み取り／書き込みを許容する記憶部３ｂ、タッチパネル、キーボード、マウス、押下ボタン、またはこれらの複数で構成されて接触操作による入力を受け付ける入力部３ｉ、液晶ディスプレイや有機ＥＬディスプレイ等で構成されて文字や図等の画像を表示する表示部３ｊ、及びＬＡＮボードやＷｉＦｉユニット等で構成されて有線または無線での通信を実行する通信部３ｋを備えている。
【００１６】
ユーザ端末６は、携帯電話やスマートフォン等（総称して携帯電話とも言う。）で構成されており、ハードウェア要素として、ＣＰＵとＲＯＭとＲＡＭ等で構成されて各種演算や制御動作を実行する制御部６ａ、フラッシュメモリ等で構成されて情報の読み取り／書き込みを許容する記憶部６ｂ、タッチパネル、押下ボタン、またはこれらの複数で構成されて接触操作による入力を受け付ける入力部６ｉ、液晶ディスプレイや有機ＥＬディスプレイ等で構成されて文字や図等の画像を表示する表示部６ｊ、及び電話回線用アンテナやＷｉＦｉユニット等で構成されて無線での通信を実行する通信部６ｋを備えている。
【００１７】
提供企業サーバ２は、記憶部２ｂに、提携プログラム２ｃと提携データベース２ｄが記憶されている。提供企業サーバ２の制御部２ａは、提携プログラム２ｃに従って提携データベース２ｄのテータを利用して各種動作を実行する。
【００１８】
提供企業店舗端末３は、記憶部３ｂに、店舗プログラム３ｃと店舗データベース３ｄが記憶されている。提供企業店舗端末３の制御部３ａは、店舗プログラム３ｃに従って店舗データベース３ｄのテータを利用して各種動作を実行する。
【００１９】
管理サーバ４は、記憶部４ｂに、管理プログラム４ｃと管理データベース４ｄが記憶されている。管理サーバ４の制御部４ａは、管理プログラム４ｃに従って管理データベース４ｄのテータを利用して各種動作を実行する。
【００２０】
ＷＥＢサーバ５は、記憶部５ｂに、ＷＥＢプログラム５ｃとＷＥＢデータベース５ｄが記憶されている。ＷＥＢサーバ５の制御部５ａは、ＷＥＢプログラム５ｃに従ってＷＥＢデータベース５ｄのテータを利用して各種動作を実行する。
【００２１】
ユーザ端末６は、記憶部６ｂに、操作プログラム６ｃと操作データベース６ｄが記憶されている。ユーザ端末６の制御部６ａは、操作プログラム６ｃに従って操作データベース６ｄのテータを利用して各種動作を実行する。
【００２２】
利用企業サーバ７は、記憶部７ｂに、閲覧プログラム７ｃと利用データベース７ｄが記憶されている。利用企業サーバ７の制御部７ａは、閲覧プログラム７ｃに従って利用データベース７ｄのテータを利用して各種動作を実行する。
【００２３】
この構成により、決済システム１は、ユーザ端末６又は／及び提供企業店舗端末３によりユーザ識別情報および店舗識別情報を取得して利用企業サーバ７又は／及び提供企業サーバを介して管理サーバ４がユーザ識別情報および店舗識別情報を受信および認証（ユーザ認証及び店舗認証）し、ユーザ端末６により利用時間および飲食物の注文を受け付けて提供企業サーバ２を介して管理サーバ４が受信及び管理し、あるいは提供企業店舗端末３により利用時間および飲食物の注文を受け付けてＷＥＢサーバ５を介して管理サーバ４が受信及び管理し、利用者が利用した料金を利用企業サーバ７へ管理サーバ４が送信して決済を実行するものである。
【００２４】
図２及び図３は、管理サーバ４の管理データベース４ｄに記憶されている利用企業データ１１、利用企業部署データ１２、利用企業役職データ１３、利用企業社員データ１４、提携企業データ１５、提携企業店舗データ１６、及び提携企業メニューデータ１７の構成を示すデータ構成図である。これらの各データ（１１，１２，１３，１４，１５，１６，１７）は、図示する各項目（利用企業ＩＤ、…その他）により構成されており、同一名称のＩＤによって相互に関連づけられている。  
これにより、各種データが管理される。
【００２５】
図４は、ユーザ端末６、ＷＥＢサーバ５、管理サーバ４、および提供企業店舗端末３の各制御部６ａ，５ａ，４ａ，３ａが、各プログラム（６ｃ，５ｃ，４ｃ，３ｃ）に従って動作する機能を示す機能ブロック図であり、図５および図６はユーザ端末６の制御部６ａが操作プログラム６ｃに従って表示部６ｊに表示する画面を説明する説明図である。
【００２６】
ユーザ端末６のメイン処理部は、各画面（１１０〜２６０）のメイン処理ボタン１１１が押下されることにより機動し、各機能部へのアクセスを許容する。ここで、ユーザ認証部が起動されると、ユーザ認証部は、図５（Ａ）のユーザ認証画面１１０を表示部６ｊに表示し、ＩＤ入力部へのＩＤの入力とパスワード入力部へのパスワードの入力を受け付け、ＯＫボタンの押下によってユーザ認証処理を行う。このユーザ認証処理を行うユーザ端末６のユーザ認証部は、ＷＥＢサーバ５へＩＤとパスワードを送信する。ＷＥＢサーバ５の制御部５ａは、ＷＥＢプログラム５ｃによってユーザ認証部として動作する。ＷＥＢサーバ５のユーザに印象部は、管理サーバ４の利用企業社員データ１４にアクセスしてＩＤとパスワードが一致するか認証し、認証結果をユーザ端末６へ送信する。なお、ユーザ認証に用いるＩＤとパスワードは、一度設定されれば保持しておき、次回からの入力を省略しても良い。
【００２７】
ユーザ端末６の制御部６ａは、メイン処理部によって店舗認証部が起動されると、図５（Ｂ）に示す店舗認証画面１２０を表示する。この店舗認証画面１２０は、店舗ブランド名入力部と、店舗支店名入力部と、パスワード入力部を有し、店舗ブランド名と店舗支店名とパスワードの入力を受け付ける。
【００２８】
また、店舗認証画面１２０は、ＧＰＳで店舗検索ボタンが押下されると、ＧＰＳ機能（図示省略）を起動して現在位置を特定し、ＷＥＢサーバ５へ送信する。ＷＥＢサーバ５は、店舗情報提供部（図４参照）として機能し、現在地から所定距離内にある店舗を提携企業店舗データ１６から抽出し、ユーザ端末６へ当該店舗のデータ（店舗ブランド名、店舗支店名、および住所）を送信する。ユーザ端末６の店舗検索部は、現在位置の付近の地図を表示するとともに、ＷＥＢサーバ５から受信した付近の店舗を地図上に表示する。
【００２９】
この表示した店舗から１つの店舗が選択されると、店舗認証部は、選択された店舗の店舗ブランド名、店舗支店名を店舗認証画面１２０の店舗ブランド名入力部と店舗支店名入力部にそれぞれ入力して表示する。このときはパスワードのみ手動入力を求める。
【００３０】
店舗認証画面１２０のＯＫボタンが押下されると、店舗認証部は、店舗ブランド名、店舗支店名、パスワードをＷＥＢサーバ５へ送信する。ＷＥＢサーバ５は、店舗認証部（図４参照）として機能し、管理サーバ４の提携企業店舗データ１６にアクセスして、店舗ブランド名、店舗支店名、およびパスワードが一致するか否か認証を行う。
【００３１】
店舗が特定されると、ユーザ端末６の制御部６ａは、ＷＥＢサーバ５を通じて管理サーバ４の提携企業店舗データ１６からメニュー情報を取得する。
【００３２】
ユーザ端末６の制御部６ａは、図５（Ｃ）に示す利用時間および席数入力画面１３０を表示部６ｊに表示し、利用時間および席数指定部（図４参照）として機能する。利用時間および席数指定部は、席数入力部での席数の入力と、利用時間入力部での利用時間の入力を受け付け、利用申請ボタンが押下されると、図６（Ｂ）に示す利用申請および注文画面２２０を表示部６ｊに表示する。戻るボタンが押下されると、店舗認証画面１２０に戻り、詳細指定ボタンが押下されると、図５（Ａ）に示す利用時間および席数の変更画面１４０を表示部６ｊに表示する。
【００３３】
ユーザ端末６の制御部６ａは、図５（Ｄ）に示す利用時間および席数の変更画面１４０を表示し、利用時間および席数変更部（図４参照）として機能する。利用時間および席数変更部は、上部に入力済み席別利用時間を示す入力内容表示部と、変更内容入力部と、注文画面へボタンと、閉じるボタンが設けられている。入力内容表示部は、時間席数タブと、飲み物タブと、食べ物タブと、文具タブが設けられ、これらのタブのどれが選択されているかによって内容が変化する。利用時間および席数の変更画面１４０は、時間席数タブが選択されている状態の画面であり、１０単位等の所定時間単位で変更する時間を指定する時間指定部と、指定された時間の追加を行う追加ボタンと、指定された時間の削除を行う削除ボタンが設けられている。また、利用時間および席数の変更画面１４０は、いつから席数変更をするかを示す席数変更開始時刻の入力を受け付ける席数変更開始時刻入力部と、その時刻から変更する席数を入力する変更席数入力部と、入力された席数の追加を行うのか削除を行うのかを入力させる追加ボタンと削除ボタンが設けられている。
【００３４】
飲み物タブが選択されると、ユーザ端末６の制御部６ａは、飲み物注文受付部（図４参照）として機能し、図５（Ｅ）に示す飲み物注文画面１６０を表示部６ｊに表示する。
【００３５】
飲み物注文画面１６０は、上部の注文用の入力内容を表示する入力内容表示部と、複数の注文用ボタンとが表示されている。注文用ボタンは、例えば、ブレンド、アメリカン、エスプレッソ等のように、飲み物のメニュー名が記載されたボタンで構成されている。また、Ｓ，Ｍ，Ｌ等のサイズを入力するサイズ入力ボタンや、ホットかアイスかを入力するホットボタンとアイスボタン、および数量の増加をする数量追加ボタン（＋１）と数量の減少をする数量減少ボタン（−１）も備えている。さらに、時間利用時にセットとしてサービスする珈琲（例えばブレンド珈琲）を他の飲み物に変更する際に、その飲み物の金額から所定の金額を減額するセット珈琲変更ボタンが設けられている。これらの注文ボタンについて、注文ボタンのメニュー等の項目に対する単価がメニュー情報取得部（図４）で取得したメニュー情報に記憶されている。従って、このメニュー情報から、押下されたメニューボタンのメニューについての単価を読み取ることができる。
【００３６】
食べ物タブが選択されると、ユーザ端末６の制御部６ａは、食べ物注文受付部（図４参照）として機能し、図５（Ｆ）に示す食べ物注文画面１８を表示部６ｊに表示する。
【００３７】
食べ物注文画面１８０は、上部の注文用の入力内容を表示する入力内容表示部と、複数の注文用ボタンとが表示されている。注文用ボタンは、例えば、トースト、チーズトースト、クロワッサン等のように、食べ物のメニュー名が記載されたボタンで構成されている。また、数量の増加をする数量追加ボタン（＋１）と数量の減少をする数量減少ボタン（−１）も備えている。なお、この食べ物注文画面１８０には、飲み物のときのセット珈琲変更ボタンのような減額用ボタンは存在していないが、セット食べ物変更ボタンを備えて、予めセットされている食べ物を変更した場合に割引を行える構成としてもよい。
【００３８】
文具タブが選択されると、ユーザ端末６の制御部６ａは、文具注文受付部（図４参照）として機能し、図６（Ａ）に示す文具注文画面２００を表示部６ｊに表示する。
【００３９】
文具注文画面２００は、上部の注文用の入力内容を表示する入力内容表示部と、複数の注文用ボタンとが表示されている。注文用ボタンは、例えば、耳栓、ボールペン、えんぴつなど、飲食物以外の商品の名称を示すボタンにより構成されている。また、数量の増加をする数量追加ボタン（＋１）と数量の減少をする数量減少ボタン（−１）も備えている。なお、この文具注文画面２００には、飲み物のときのセット珈琲変更ボタンのような減額用ボタンは存在していないが、セット文具変更ボタンを備えて、予めセットされている文具を変更した場合に割引を行える構成としてもよい。
【００４０】
このように構成された利用時間および席数指定部（図４参照）および利用時間および席数変更部（図４参照）により入力された内容で利用申請注文ボタン（図６（Ａ），図６（Ｂ）参照）が押下されると、ユーザ端末６の制御部６ａは、利用申請部（図４参照）として機能する。利用申請部は、図６（Ｂ）に示す利用申請注文内容確認画面２２０を表示部６ｊに表示し、利用申請内容および注文内容の確認を受け付ける。利用申請注文ボタンが押下されると、利用申請部はＷＥＢサーバ５へユーザＩＤおよび店舗ＩＤを含む利用申請注文情報をＷＥＢサーバ５へ送信する。
【００４１】
これを受けたＷＥＢサーバ５の制御部５ａは、利用可否判定部（図４）として機能する。利用可否判定部は、管理サーバ４へ利用申請注文情報を送信し、利用可否の判定を受け付ける。このとき、管理サーバ４は、利用申請受付部により利用申請注文情報を受け付け、利用可否決定部により利用の可否を決定し、利用許可通知部によって当該申請を行ったユーザが利用可能であることを通知する。この通知を受けたＷＥＢサーバ５の利用可否判定部は、ユーザ端末６へ利用可であることを通知すると共に、利用情報登録部と通じて注文データベースに利用申請及び注文の内容を記憶する。ユーザ端末６は、申請結果出力部として機能し、図６（Ｄ）に示す利用情報表示画面２６０を表示する。
【００４２】
このようにして利用申請が完了すると、ユーザ端末６およびＷＥＢサーバ６は、時間監視部として機能し、ユーザ端末６の表示部６ｊに図６（Ｄ）の利用内容および利用可能時間表示画面２６０を表示する。この利用可能時間表示画面２６０は、領域（一人分のテーブル上の領域と一人分の椅子）の使用の開始時間、終了時間、その間の時間、および小計金額を表示する。追加延長ボタンが押下されると、図５（Ｄ）に示した利用時間および席数の変更画面１４０を表示し、時間延長や注文の追加を受け付ける。なお、飲食系と文具系にわけて小計料金を表示するなど、適宜の構成とすることができる。また、時間表示部で残り時間がゼロになると、利用時間が終了した旨をユーザ端末６の終了通知部へ送信し、終了通知部が表示部６ｊに終了したことを表示することで、終了したことを利用者に伝えることができる。
【００４３】
ＷＥＢサーバ５の時間監視部は、ユーザ端末６とは別に時間監視をしており、利用時間が終了すると、終了通知部によって提携企業店舗端末３へ終了通知をする。
【００４４】
提携企業店舗端末３は、利用中情報出力部によって時間利用中であることを出力する。この出力がなされている間、ユーザ端末６や提供企業店舗端末３は、この出力を受信して時間利用が行われていることを把握できる。
【００４５】
ＷＥＢサーバ５の終了通知部から終了した旨の通知を受けた提携企業店舗端末３は、終了通知部によりそのユーザ端末６を所有するユーザに対する時間での席の提供が終了したことを表示部５ｊに表示し、そのユーザが退店したことを確認すると、退店確認入力部にて退店したことを入力管理する。
【００４６】
図６（Ｃ）は、利用履歴および業務報告画面２４０の画面構成を示す説明図である。利用履歴および業務報告画面２４０は、利用した利用履歴を日時や店舗名等を１行に表示して利用履歴を一覧表示する利用履歴表示部と、利用履歴表示部において選択された１つの利用に関する報告内容（社内での報告の内容）の入力を受け付ける報告内容入力部と、報告内容入力部の内容を消去するクリアボタンと、報告内容入力部に入力した内容を保存する保存ボタンと、報告内容入力部に入力した内容を任意のＥｍａｉｌアドレスあるいは予め定められた送信先へ送信する送信ボタンと、この画面を閉じるための閉じるボタンが設けられている。
【００４７】
以上の構成および動作により、飲食店と利用者の要望を満たす仕組みを提供し、両者の満足度を向上させることができる。すなわち、利用者は、利用時間と席数を指定して、席数の領域を指定した利用時間だけ伸び伸びと使用することができ、不要な飲み物や食べ物を注文せずとも落ち着いて利用することができる。このとき、時間利用であるため、例えば顧客が並んでいたとしても費用を支払って必要な時間まで利用することができる。店舗側は、利用時間に応じて料金を徴収できるため、一人の利用者に一杯の珈琲で長時間利用されることを防止でき、その長時間利用者のために並んで待っている人を席に案内できないといった営業機会の損失を防止することができる。
【００４８】
利用者は、席数を入力できるため、例えば広いスペースを使って作業をしたい場合には、一人で複数席の利用申請をすることができる。これにより、利用者は必要な作業領域を他の利用者に遠慮することなく確保することができる。
【００４９】
また、時間利用をしたときには珈琲等のセット飲料をサービスする構成とすることで、利用者は喉を潤しながら仕事等に席（領域）を利用することができる。
【００５０】
また、セット飲料（この実施例ではブレンド珈琲）を別の飲料に変更することができ、その変更の際には変更後の飲料の料金から所定の減額を行うことができるため、利用者の満足度を向上させることができる。
【００５１】
また、利用時間と席数とで定まる領域利用の料金と、飲み物、食べ物、および文具といった商品注文の料金をまとめて請求できるため、利便性を向上させることができる。
【００５２】
また、利用者は、くつろげる空間であるカフェ等の飲食店を仕事の場所として利用できるため、快適な環境で仕事を行うことができる。
【００５３】
また、多数の飲食店のうち、現在地に近い飲食店を選択して時間利用できるため、営業等で訪問する相手企業の近くの飲食店を、訪問までの時間調整や仕事に利用することができ、利用者の満足度を向上させることができる。
【００５４】
また、時間監視部によって利用時間を監視し、終了通知部によって利用時間が終了したことを通知するため、利用時間が終了してもそのまま継続して利用しているといったことを気付かずに放置することを防止できる。
【００５５】
この発明は、上述した実施形態に限らず、様々な実施形態をとることができる。  
例えば、利用時間の入力は、時間を入力する、あるいは開始時刻と終了時刻を入力するなど、適宜の方法で利用時間がわかるように入力することができる。
【００５６】
また、利用者に提供する領域として、席の数を入力する方式としたが、テーブル上の領域を面積で入力するなど、適宜の方式で入力を受け付ける構成とすることもできる。
【００５７】
また、席別に利用時間を求め、これを全て加算することで領域の利用料金を算出する構成としたが、これに限らず、時間利用単価と利用時間と領域数を乗算して料金を求めるなど、適宜の方法によって領域の利用に対する料金を算出することができる。
【産業上の利用可能性】
【００５８】
この発明は、飲食物などの商品を提供する店舗にて時間利用を提供するサービスに利用することができる。
【符号の説明】
【００５９】
１…決済システム
２…提供企業サーバ
３…提供企業店舗端末
４…管理サーバ
５…ＷＥＢサーバ
６…ユーザ端末
７…利用企業サーバ
９…インターネット
１１…利用企業データ
１２…利用企業部署データ
１３…利用企業役職データ
１４…利用企業社員データ
１５…提携企業データ
１６…提携企業店舗データ
１７…提携企業メニューデータ
１２０…店舗認証画面
１４０…利用時間および席数の変更画面
１６０…飲み物注文画面
１８０…食べ物注文画面
２００…文具注文画面
２２０…利用申請注文内容確認画面
２４０…利用履歴および業務報告画面
２６０…利用情報表示画面
【図１】
2019074895.tif 000003
【図２】
2019074895.tif 000004
【図３】
2019074895.tif 000005
【図４】
2019074895.tif 000006
【図５】
2019074895.tif 000007
【図６】
2019074895.tif 000008